(57)【要約】      （修正有）【課題】敷設の工程を少なくして、敷設に用いる部材のコストを低減させることができる排水部材及びそれを用いた排水構造を提供する。【解決手段】排水部材４０は、円筒状の内筒部３０１と、内筒部３０１より大径の円筒状に形成された外筒部３０２と、外筒部３０２と内筒部３０１と、を連結する底板部３０３と、を有する排水金物本体３０に配置可能とされる。排水部材４０は、筒状で排水を流通させる排水通路５を形成する排水通路形成部５０と、排水通路５側に排水を流入させる流入部２を形成する流入部形成部６０と、排水通路形成部５０に配設されて排水を下流側に流通させる逆止弁１０と、を備え、排水通路形成部５０は、内周側において逆止弁１０を遊嵌可能に形成されるとともに、内筒部３０１の内周側において遊嵌可能に形成されている。【選択図】図１
0003214457.tif 000002
【実用新案登録請求の範囲】
【請求項１】
円筒状の内筒部と、前記内筒部より大径の円筒状に形成された外筒部と、前記外筒部と前記内筒部と、を連結する底板部と、
を有する排水金物本体に配置可能とされ、
筒状で排水を流通させる排水通路を形成する排水通路形成部と、前記排水通路側に排水を流入させる流入部を形成する流入部形成部と、前記排水通路形成部に配設されて排水を下流側に流通させる逆止弁と、を備え、
前記排水通路形成部は、内周側において前記逆止弁を遊嵌可能に形成されるとともに、前記内筒部の内周側において遊嵌可能に形成されていることを特徴とする排水部材。
【請求項２】
前記排水通路形成部の外周面には、位置調整部材が配設され、
前記位置調整部材は、
前記排水通路形成部の外周面との間に隙間を形成可能な筒状に形成されるとともに、下端部において前記内筒部の上端部と連設可能に形成され、外周面側から内周面側に排水を流通可能とする水抜き孔が形成されていることを特徴とする請求項１記載の排水部材。
【請求項３】
前記流入部形成部には、前記排水通路形成部の外側に、前記排水通路形成部との間に隙間を形成可能な筒状に形成されるとともに、下端部において前記内筒部の上端部と連設可能とされる連設部が配設され、
前記連設部には、外周面側から内周面側に排水を流通可能とする水抜き孔が形成されていることを特徴とする請求項１記載の排水部材。
【請求項４】
前記流入部形成部の内面には、塵芥を捕集する、円筒状の筒部と、前記筒部の外周面から外側に延設された板部と、を有するストレーナを支持する支持面が形成され、
前記支持面に、前記板部が配置されていることを特徴とする請求項１、２又は３記載の排水部材。
【請求項５】
円筒状の内筒部と、前記内筒部より大径の円筒状に形成された外筒部と、前記外筒部と前記内筒部と、を連結する底板部と、を有する排水金物本体と、
請求項２〜４のいずれかに記載の排水部材と、
を備え、
前記内筒部の内側に前記排水通路形成部が配置されて排水管と接続される排水通路が形成され、
前記流入部形成部の上端開口縁部から、充填剤で形成される補助流入部形成部が、外側かつ上側に向かって延設され、
前記流入部形成部と、前記補助流入部形成部とで、前記排水通路側に排水を流入させる流入部が形成されていることを特徴とする排水構造。
【請求項６】
請求項２に記載の排水部材が用いられる場合であって、
前記位置調整部材が、下端部において前記内筒部の上端部と連設されていることを特徴とする請求項５記載の排水構造。
【請求項７】
請求項３に記載の排水部材が用いられる場合であって、
前記連設部が、下端部において前記内筒部の上端部と連設されていることを特徴とする請求項５記載の排水構造。
【請求項８】
前記内筒部から延設され、前記排水管と接続される排水管接続口を備え、前記排水管接続口と前記排水管とが接続され、
前記排水通路形成部の前記流入部形成部とは反対側の端部には、更新排水管が延設され、
前記更新排水管は、前記排水管の内周側において遊嵌されていることを特徴とする請求項６又は７記載の排水構造。
【考案の詳細な説明】
【技術分野】
【０００１】
本考案は、既設の設備を流用することができる、シンプルな構造でメンテナンスが容易な排水部材及びそれを用いた排水構造に関する。
【背景技術】
【０００２】
従来の排水構造として、本出願人が先にした、特許文献１に記載されるものがあった。これによると、円筒状の内筒部と、内筒部より大径の円筒状に形成された外筒部と、外筒部と内筒部と、を連結する底板部と、を有する排水金物本体を備える排水構造であって、内筒部の外側に円筒状の外補助部材が配設され、内筒部の内周側の旧排水通路部と接続されて内筒部の上端面より上方に延びる延長排水通路部が外補助部材の内周側に形成され、内筒部の内側に円筒状の内補助パイプが配設され、内補助パイプは、上端部で外補助部材の内周面と密接され、外補助部材の上端開口端面に連接して外補助部材の上端開口部に排水を流入させる流入部が充填剤により形成され、外補助部材の上端開口部に排水を下流側に流通させる弁部材が配設されていた。
【０００３】
これにより、内筒部の内周面側に円筒状の内補助パイプを配設することで、内筒部の内周面側に排水が付着することを防止して内筒部の腐食の進行を止めることができるので、排水金物本体の内筒部の長期的な保存を可能にすることができた。
【先行技術文献】
【特許文献】
【０００４】
【特許文献１】特開２０１１−１５７８１３号公報
【考案の概要】
【考案が解決しようとする課題】
【０００５】
しかし、上記排水構造では、内筒部の外側に円筒状の外補助部材を配設して、内筒部の内周側の旧排水通路部と接続されて内筒部の上端面より上方に延びる延長排水通路部を外補助部材の内周側に形成して、延長排水通路部形成工程の直前又は直後に内筒部の内周面側に円筒状の内補助パイプを配設して、外補助部材の上端部外側に充填材を充填して、外補助部材の上端開口部に排水を流入させる流入部を形成するので、敷設の工程が多くなり、敷設に用いる部材のコストがかかるおそれがあり工数、コストの削減が望まれていた。
【０００６】
本考案は、上記事情に鑑み、敷設の工程を少なくして、敷設に用いる部材のコストを低減させることができる排水部材及びそれを用いた排水構造を提供することを目的とする。
【課題を解決するための手段】
【０００７】
請求項１記載の考案は、円筒状の内筒部と、前記内筒部より大径の円筒状に形成された外筒部と、前記外筒部と前記内筒部と、を連結する底板部と、
を有する排水金物本体に配置可能とされ、
筒状で排水を流通させる排水通路を形成する排水通路形成部と、前記排水通路側に排水を流入させる流入部を形成する流入部形成部と、前記排水通路形成部に配設されて排水を下流側に流通させる逆止弁と、を備え、
前記排水通路形成部は、内周側において前記逆止弁を遊嵌可能に形成されるとともに、前記内筒部の内周側において遊嵌可能に形成されている。
【０００８】
これによれば、排水通路形成部を排水金物本体の内筒部の内周側に遊嵌させて、排水が流通する排水通路を形成することが可能となり、流入部形成部により排水通路側に排水を流入可能な流入部を形成することができる。よって、敷設の工程を少なくして、敷設に用いる部材のコストを低減させることができる。
【０００９】
また、前記排水通路形成部の外周面には、位置調整部材が配設され、前記位置調整部材は、前記排水通路形成部の外周面との間に隙間を形成可能な筒状に形成されるとともに、下端部において前記内筒部の上端部と連設可能に形成され、外周面側から内周面側に排水を流通可能とする水抜き孔が形成されている。
【００１０】
これによれば、内筒部と、外筒部と、底板部と、で囲まれた領域に貯留する排水を、位置調整部材に形成された水抜き孔により、内筒部と排水通路形成部との隙間に排水を流通可能とし、内筒部と接続される排水管に排水を排出することができる。
【００１１】
また、前記流入部形成部には、前記排水通路形成部の外側に、前記排水通路形成部との間に隙間を形成可能な筒状に形成されるとともに、下端部において前記内筒部の上端部と連設可能とされる連設部が配設され、前記連設部には、外周面側から内周面側に排水を流通可能とする水抜き孔が形成されている。
【００１２】
これによれば、内筒部と、外筒部と、底板部と、で囲まれた領域に貯留する排水を、連設部に形成された水抜き孔により、内筒部と排水通路形成部との隙間に排水を流通可能とし、内筒部と接続される排水管に排出することができる。
【００１３】
また、前記流入部形成部の内面には、塵芥を捕集する、円筒状の筒部と、前記筒部の外周面から外側に延設された板部と、を有するストレーナを支持する支持面が形成され、前記支持面に、前記板部が配置されている。
【００１４】
これによれば、ストレーナは、正圧時には、筒部から空気が進入して、逆止弁内に空気が進入しやすい構成となっている。また、板部の上面と筒部の外周面により、塵芥の逆止弁への進入を低減させるとともに塵芥を捕集することが可能となり、排水通路形成部、排水管の汚れを防止するとともに、ストレーナの交換、清掃のみで流入部の清掃を可能とすることができる。
【００１５】
さらに、板部の下面と筒部の外周面により、負圧時に排水管内で発生する異臭を循環、滞留させて、流入部形成部から放出されることを低減できる。
【００１６】
また、請求項５の考案では、円筒状の内筒部と、前記内筒部より大径の円筒状に形成された外筒部と、前記外筒部と前記内筒部と、を連結する底板部と、を有する排水金物本体と、請求項２〜４のいずれかに記載の排水部材と、を備え、前記内筒部の内側に前記排水通路形成部が配置されて排水管と接続される排水通路が形成され、前記流入部形成部の上端開口縁部から、充填剤で形成される補助流入部形成部が、外側かつ上側に向かって延設され、前記流入部形成部と、前記補助流入部形成部とで、前記排水通路側に排水を流入させる流入部が形成されている。
【００１７】
上記の排水部材の効果を奏する排水構造とすることができる。
【００１８】
また、請求項２に記載の排水部材が用いられる場合であって、さらに、前記位置調整部材が、下端部において前記内筒部の上端部と連設されている排水構造、又は、請求項３に記載の排水部材が用いられる場合であって、前記連設部が、下端部において前記内筒部の上端部と連設されている排水構造とすることもできる。
【００１９】
また、請求項６、７の場合において、前記内筒部から延設され、前記排水管と接続される排水管接続口を備え、前記排水管接続口と前記排水管とが接続され、前記排水通路形成部の前記流入部形成部とは反対側の端部には、更新排水管が延設され、前記更新排水管は、前記排水管の内周側において遊嵌されている構成とすることもできる。
【００２０】
このような構成とすれば、地上階以外の床面、天井間に配設される排水設備の改修等に好適に用いることができる。特に、排水管を更新する場合に好適なものとできる。
【図面の簡単な説明】
【００２１】
【図１】本考案の一実施形態の排水構造が設置された状態の断面図である。
【図２】同実施形態の排水構造の逆止弁の斜視図である。
【図３】同実施形態の排水構造の逆止弁の分解断面図である。
【図４】図２の逆止弁の弁部の部分拡大図である。
【図５】図２の底面図である。
【図６】排水部材の正面図である。
【図７】（ａ）はストレーナの平面図、（ｂ）ＶＩＩｂ−ＶＩＩｂ線矢視断面図である。
【図８】本考案の排水金物の改修方法の（ａ）既存の排水トラップが設置された状態、（ｂ）椀を取り外した状態の説明図である。
【図９】図８の続きの説明図である。
【図１０】図９の続きの説明図である。
【図１１】図１０の続きの説明図である。
【図１２】図１１の続きの説明図である。
【図１３】位置調整部材の水抜き孔の機能の説明図である。
【図１４】（ａ）は負圧時の、（ｂ）は正圧時の排水構造の機能の説明図である。
【図１５】変形例の排水構造が設置された状態の断面図である。
【考案を実施するための形態】
【００２２】
以下に、本考案の第一の実施形態を図面に基づいて説明する。以下の説明では、後述する排水目皿７側を上とし、排水管３側を下とする。
【００２３】
施設内の風呂場や便所内の床面Ｔには、図１に示すように、排水構造１が配置されている。
【００２４】
排水構造１は、概略的には、図１に示すように、上端縁から下端側（下流側）に向かって排水を流通可能に形成された流入部２と、排水管３に接続される排水管接続口４と、流入部２と排水管接続口４とを連通する排水通路５と、排水通路５に配置されて排水を排水管３側に流通させる逆止弁１０と、を備えている。
【００２５】
排水構造１の上端側には、排水を通過させる排水目皿７を支持する目皿受け８と、排水構造１の高さを調節する調節管９と、が配設されている。排水目皿７には、排水を流すため複数の挿通溝７０１が形成されている。調節管９は、下端部において、後述する外筒部３０２の雌ネジ部３０５で螺合されている。
【００２６】
排水構造１の下端側には、排水管接続口４を有する既設の金属製の排水金物本体３０が配設されている（図８（ａ）参照）。排水金物本体３０は、円筒状の内筒部３０１と、内筒部３０１より大径の円筒状に形成された外筒部３０２と、外筒部３０２と内筒部３０１と、を連結する底板部３０３と、外筒部３０２の外周面から径方向外側に延びるつば部３０４と、内筒部３０１から下方に延設されて排水管３に接続される排水管接続口４と、を備えている。
【００２７】
つば部３０４の上側には、防水層３８が形成されている。つば部３０４の付け根部分には、複数の水抜き孔３０４ａが形成されている。水抜き孔３０４ａにより、防水層３８より流れてくる排水が後述する排水金物本体３０の中空部３６に流れ込むように形成されている。排水金物本体３０の外筒部３０２の上端部には、調節管９と螺合する雌ネジ部３０５が形成されている。排水金物本体３０の排水管接続口４の内周面には、排水管３をネジ締結するための雌ネジ部３０６が形成されている。
【００２８】
排水通路５を形成するとともに、排水金物本体３０に配置される排水部材４０は、図６、１３、１４等に示すように、排水通路５を形成する排水通路形成部５０と、排水通路５側に排水を流入させる流入部２を形成する流入部形成部６０と、をそなえている。
【００２９】
排水通路形成部５０は、塩化ビニル製で円筒状に形成されている。排水通路形成部５０は、内周側において逆止弁１０を遊嵌可能に形成されている。詳説すると、排水通路形成部５０の内周の径は、逆止弁１０の主管本体１１ａの外周の径より大径に形成されて、図１の状態において、排水通路形成部５０の内周面と、後述する主管本体１１ａの外周面との間には、隙間が生じるようにそれぞれの径が設定されている。
【００３０】
また、排水通路形成部５０は、内筒部３０１の内周側において遊嵌可能に形成されている。詳説すると、排水通路形成部５０の外周の径は、内筒部３０１の内周の径より小径に形成され、図１の状態において、排水通路形成部５０の内周面と、内筒部３０１との間に隙間が生じるようにそれぞれの径が設定されている。
【００３１】
排水通路形成部５０の外周面には、位置調整部材５５が配設されている。位置調整部材５５は、内筒部３０１と当接して、排水部材４０が下側に移動することを規制するものである。
【００３２】
位置調整部材５５は、排水通路形成部５０の外周面との間に隙間を形成可能な筒状に形成されるとともに、下端部において内筒部３０１の上端部と連設可能に形成され、外周面側から内周面側に排水を流通可能とする水抜き孔５５ａが、周方向において等間隔に四つ形成されている。
【００３３】
本実施形態では、上端部側が、排水通路形成部５０の外周面に嵌め込み可能な円筒状に形成され、下端部側が、排水通路形成部５０の外周面との間に隙間を形成可能な円筒状に形成されている。なお、位置調整部材５５は、組み付けられる前の状態においては、排水通路形成部５０に対して摺動可能に形成され、内筒部３０１の上端部の高さに応じて上下方向における位置を変えることが可能とされている。そして、位置決めされた状態で、位置調整部材５５の上端部側において、排水通路形成部５０の外周面に接着される。
【００３４】
流入部形成部６０は、塩化ビニル製で段付き円錐筒状に形成されている。本実施形態では、円筒状に形成された上筒部６１と、上筒部６１より小径な円筒状に形成され内筒部３０１と連設可能な連設部６２と、連設部６２と上筒部６１とを連結し円錐筒状に形成された連結部６３と、有したインクリーザ（異径管継手）が用いられている。
【００３５】
排水通路形成部５０の上端部の外周面と連設部６２の内周面とは、隙間を有している。排水通路形成部５０の上端部は、円環状のリング部材５２を介して、連設部６２と連結部６３の境界部分と一体化して形成されている。
【００３６】
上筒部６１と連結部６３の境界部分は、後述するストレーナ７０を配置可能な段差面６４（実用新案登録請求の範囲の支持面に相当する）を有している。段差面６４は、排水部材４０の軸線に対して直交する面で構成されている。
【００３７】
上筒部６１には、外周面に沿って、断面矩形状に形成されたブチルゴム製の防水テープ６５が貼着されている。
【００３８】
連設部６２の下端部には、外周面側から内周面側に排水を流通可能とする水抜き孔６２ａが、周方向において等間隔に四つ形成されている。
【００３９】
連設部６２は、下端部が内筒部３０１と当接して、排水部材４０が、下側に移動することを規制可能とするものである。
【００４０】
ストレーナ７０は、図７（ａ）、（ｂ）、１４等に示すように、円筒状の筒部７１と、筒部７１の外周面から外側に円環状に延設された板部７２と、を有している。筒部７１は、アクリル製で円筒状に形成された内管７１ａと、内管７１ａの外側に接着され上下方向において板部７２を挟持する塩化ビニル製の円筒状の二つの外管７１ｂと、で構成されている。板部７２は、透明な塩化ビニル製で、板部７２の筒部７１の同心円周上には、上面側から下面側に排水を流通可能とする流通孔７２ａが等間隔に九つ形成されている。
【００４１】
ストレーナ７０は、板部７２を挟んで対称となる形状に形成され、流入部形成部６０の段差面６４に配置するときに、上下反対であっても配置可能となっている。これにより、ストレーナ７０の向きの確認をしなくて良くなるので、作業の工数を少なくすることにつながる。
【００４２】
排水通路５は、排水通路形成部５０で形成されている。排水通路形成部５０は、内筒部３０１及び排水管接続口４の内周側の領域部分を挿通させて配置されている。
【００４３】
排水金物本体３０の底板部３０３と、排水部材４０と、外筒部３０２及び外筒部３０２から延設された調節管９と、に囲まれた部分には、下端側が閉塞した中空部３６が形成されている。
【００４４】
図１の状態において、中空部３６の流入部２側の端部において、流入部形成部６０と調節管９との間には、流入部２形成時に流入部２の下地となる、防水テープ６５が配置されていることになる。
【００４５】
防水テープ６５の上側には、補助流入部形成部としてのエポキシ樹脂が充填されたコーキング樹脂層３４３が形成され、流入部２を形成している。流入部２の内面すなわち、コーキング樹脂層３４３の表面は、凹凸をなくして排水を流入部形成部６０側に流れやすく形成されている。
【００４６】
流入部２は、排水構造１の開口した上端縁から排水通路５に向かって、排水を流入可能に形成されている。流入部２の内面は、流入部形成部６０と、コーキング樹脂層３４３と、で形成され、その表面が滑らかに形成されている。
【００４７】
逆止弁１０は、上端部が、排水通路形成部５０と流入部形成部６０の境界部分に配置され、上方向に移動可能とされている。逆止弁１０についての以下の説明では、排水通路５を形成する排水通路形成部５０の流入部２側の端部に配置された状態時の上流側を上とし、下流側を下とする。
【００４８】
逆止弁１０は、図２〜５に示すように、下端側に傾斜面部１１１を有する主管体（管体）１１と、主管体１１の傾斜面部１１１に密着して装着された可撓性弁部材（以下、「弁部」という。）１２と、を備えて構成されている。
【００４９】
主管体１１は、塩化ビニル製の管体で形成された主管本体１１ａと、主管本体１１ａより径方向外側に向かって大径に形成された拡径部１１ｂと、を有して形成されている。
【００５０】
主管体１１の下端側には、管軸に対して斜め方向に切断した傾斜面部１１１及び傾斜面部１１１によって囲まれた開口面１１４が形成されている。傾斜面部１１１の上端側には、主管体１１の管軸に対して直交する水平面部１１２が形成されている。水平面部１１２の上方には、図３に示すように、傾斜面部１１１から延設された溝部１１３が、主管体１１の下端側に向かって屈曲して形成されている。溝部１１３は、後述する弁部１２の一端を挿入して止着できる程度の厚みと深さを有して形成されている。
【００５１】
主管本体１１ａの上端側には、外周面から内周面に向かって貫通する貫通孔１１５が、周方向に沿って等間隔に二か所形成されている。貫通孔１１５を挿通させて円柱状のつかみ棒１１６が配設されている。つかみ棒１１６は、逆止弁１０を手でつかんで逆止弁１０を、排水部材４０に対して着脱可能とするものである。
【００５２】
弁部１２は、図３、４に示すように、薄板状の可撓性部材で形成され、開口面１１４を開閉可能に配設されている。弁部１２は、主管体１１の傾斜面部１１１に密着して開口面１１４を閉塞させる本体部１２１と、本体部１２１の一端で主管体１１に形成された溝部１１３に挿入可能な折返し部１２２とから形成されている。
【００５３】
図４に示すように、折返し部１２２は、弁部１２の一端が折り返されて、二重に形成され、自由端側の部分が溝部１１３から露出している。溝部１１３に挿入された弁部１２は、本体部１２１と折返し部１２２との境界部分で屈曲して、開口面１１４を開閉可能に形成されている。図５に示すように、主管本体１１ａの傾斜面部１１１と、水平面部１１２との境界付近の２箇所には、折り返されて二重に形成される本体部１２１、折返し部１２２を溶着する熱溶着部１２３が形成されている。
【００５４】
拡径部１１ｂの下面は、図１、図１４（ａ）、（ｂ）に示すように、傾斜面に形成されるとともに、排水通路形成部５０と流入部形成部６０の境界部分と係止可能な形状に形成されている。
【００５５】
逆止弁１０は、上方から主管本体１１ａを排水通路形成部５０内に挿入して、拡径部１１ｂの下面と、排水通路形成部５０の流入部２側の端部及び流入部２の排水通路形成部５０側の端部とを係止させて配置されている。
【００５６】
既存の床排水金物２０から本実施形態の排水構造１への改修方法を、以下に説明する。
【００５７】
床排水金物２０は、図８（ａ）に示すように、椀３７が内筒部３０１の上端面に着座した状態で、施設内の床面Ｔに設置されている。図８（ｂ）に示すように、排水目皿７及び椀３７を取り外して、排水管３及び排水金物本体３０内の錆び、塵芥を取った後、錆び、塵芥を水で洗浄する。水分が残るとコーキング剤が付かなくなるので、図示しない乾燥装置（ここでは、ガストーチ）で排水金物本体３０及び調節管９内を乾燥させる。
【００５８】
そして、図９に示すように、内筒部３０１の内周側に排水通路形成部５０を挿通させる。
【００５９】
このとき、位置調整部材５５の下端面が、内筒部３０１の上端面と接するまで押し込む。これによって、排水部材４０の下方向への移動が規制される。一方上部においては、上筒部６１と、調節管９との間に防水テープ６５が配置される。
【００６０】
その後、図１０に示すように、防水テープ６５の上側、かつ、目皿受け８の排水目皿７が乗せられる段差面８ａの内周縁から上筒部６１の内周縁を結ぶように（図１の丸内参照）、充填材としてのエポキシ樹脂を充填して、コーキング樹脂層３４３を形成する。ここでは、コーキング樹脂層３４３を、目皿受け８の上端開口縁から流入部形成部６０の上端開口縁に向かって狭小に形成し、流入部２を形成する。流入部２の内面すなわち、コーキング樹脂層３４３の表面を、凹凸がなく排水が流れやすい滑らかな面に形成する。換言すれば、流入部形成部６０の上端開口縁部から、充填剤で形成される補助流入部形成部（コーキング樹脂層３４３）が、外側かつ上側に向かって延設されていることになる。
【００６１】
このとき、内筒部３０１及び内筒部３０１から連設された排水部材４０と、外筒部３０２及び外筒部３０２から延設された調節管９との間には、下端側が底板部３０３によって閉塞された中空部３６が形成される。
【００６２】
図１１に示すように、拡径部１１ｂの下面と、排水通路形成部５０と流入部形成部６０と境界部分とを対向させて、上方から主管本体１１ａを排水通路形成部５０内に挿入して、拡径部１１ｂの下面と、排水通路形成部５０と流入部形成部６０と境界部分とを係止させて、逆止弁１０を配置する。
【００６３】
図１２に示すように、流入部形成部６０の上方からストレーナ７０を進入させ、段差面６４に板部７２の外周縁部を乗せて、ストレーナ７０を配置する。
【００６４】
図１に示すように、排水目皿７を目皿受け８で支持させて既存の床排水金物２０から排水構造１への改修が完了する。
【００６５】
排水構造１の機能作用について説明する。図１３に示すように、つば部３０４の付け根部分には、複数の水抜き孔３０４ａが形成されている。水抜き孔３０４ａにより、防水層３８（図１参照）より流れてくる排水が排水金物本体３０の中空部３６に流れ込むように形成されている。
【００６６】
中空部３６に貯留した排水は、位置調整部材５５の水抜き孔５５ａにより、位置調整部材５５及び内筒部３０１と、排水通路形成部５０との間の隙間に排出される。
【００６７】
ストレーナ７０は、図１４（ａ）に示す矢印のように、負圧時には、筒部７１から空気が進入して、逆止弁１０内に空気が進入しやすい構成となっている。また、板部７２の上面と筒部７１の外周面により、塵芥の逆止弁１０への進入を低減させるとともに塵芥を捕集することが可能となり、排水通路形成部５０、排水管３の汚れを防止するとともに、ストレーナ７０の交換、清掃のみで流入部２の清掃を可能とすることができる。
【００６８】
また、図１４（ｂ）に示す矢印のように、正圧時には、逆止弁１０が上方に持ち上げられ、拡径部１１ｂの下面に沿って流れる空気が、板部７２の下面と筒部７１の外周面により、排水管３内で発生する異臭を循環、滞留させて、流入部形成部６０から放出されることを低減できる。
【００６９】
本実施形態の排水部材４０では、円筒状の内筒部３０１と、内筒部３０１より大径の円筒状に形成された外筒部３０２と、外筒部３０２と内筒部３０１と、を連結する底板部３０３と、を有する排水金物本体３０に配置可能とされ、筒状で排水を流通させる排水通路５を形成する排水通路形成部５０と、排水通路５側に排水を流入させる流入部２を形成する流入部形成部６０と、排水通路形成部５０に配設されて排水を下流側に流通させる逆止弁１０と、を備え、排水通路形成部５０は、内周側において逆止弁１０を遊嵌可能に形成されるとともに、内筒部３０１の内周側において遊嵌可能に形成されている。
【００７０】
これによれば、排水通路形成部５０を排水金物本体３０の内筒部３０１の内周側に遊嵌させて、排水が流通する排水通路５を形成することが可能となり、流入部形成部６０により排水通路５側に排水を流入可能な流入部２を形成することができる。よって、敷設の工程を少なくして、敷設に用いる部材のコストを低減させることができる。
【００７１】
また、排水通路形成部５０の外周面には、位置調整部材５５が配設され、位置調整部材５５は、排水通路形成部５０の外周面との間に隙間を形成可能な筒状に形成されるとともに、下端部において内筒部３０１の上端部と連設可能に形成され、外周面側から内周面側に排水を流通可能とする水抜き孔５５ａが形成されている。
【００７２】
これによれば、内筒部３０１と、外筒部３０２と、底板部３０３と、で囲まれた領域に貯留する排水を、位置調整部材５５に形成された水抜き孔５５ａにより、内筒部３０１と排水通路形成部５０との隙間に排水を流通可能とし、内筒部３０１と接続される排水管３に排水を排出することができる。
【００７３】
また、流入部形成部６０の内面には、塵芥を捕集する、円筒状の筒部７１と、筒部７１の外周面から外側に延設された板部７２と、を有するストレーナ７０を支持する支持面としての段差面６４が形成され、段差面６４に、板部７２が配置されている。
【００７４】
これによれば、ストレーナ７０は、正圧時には、筒部７１から空気が進入して、逆止弁１０内に空気が進入しやすい構成となっている。また、板部７２の上面と筒部７１の外周面により、塵芥の逆止弁１０への進入を低減させるとともに塵芥を捕集することが可能となり、排水通路形成部５０、排水管３の汚れを防止するとともに、ストレーナ７０の交換、清掃のみで流入部２の清掃を可能とすることができる。
【００７５】
さらに、板部７２の下面と筒部７１の外周面により、負圧時に排水管３内で発生する異臭を循環、滞留させて、流入部形成部６０から放出されることを低減できる。
【００７６】
本考案の排水構造は上記構成に限定されるものではない。即ち、本考案の要旨を逸脱しない限り各種の設計変更等が可能である。以下に、変形した態様を例示する。
【００７７】
例えば、内筒部３０１、調節管９の長さによっては、連設部６２を内筒部３０１の上端部と連設させることも可能である。この場合、図１４（ａ）に示すように水抜き孔６２ａから流入した排水は、連設部６２及び破線で示した内筒部３０１と排水通路形成部５０との間の隙間を流通して排水管３に向かうことになる。
【００７８】
このような構成によっても、内筒部３０１と、外筒部３０２と、底板部３０３と、で囲まれた領域に貯留する排水を、連設部６２に形成された水抜き孔６２ａにより、内筒部３０１と排水通路形成部５０との隙間に排水を流通可能とし、内筒部３０１と接続される排水管３に排出することができる。
【００７９】
また、排水管３を更新するような場合には、更新排水管１００と、緩衝材１０１と、コーキング樹脂材１０２と、を備える、図１５に示すような構成にすることができる。
【００８０】
更新排水管１００は、塩化ビニル製で、排水通路形成部５０の外側に嵌め込み可能、かつ、排水管３の内周面と間に隙間を形成可能な円筒状に形成されている。更新排水管１００は、他の外周面より縮径された絞り部１００ａを有している。絞り部１００ａは、更新排水管１００の嵌め込み深さを規制するものである。更新排水管１００の上部には、外周面側から内周面側に排水を流通可能とする水抜き孔１００ｂが、周方向において等間隔に四つ形成されている。
【００８１】
緩衝材１０１は、ポリスチレン製で、更新排水管１００の外周面と、排水管３の内周面との間に、コーキング樹脂材１０２の押さえとなるように円環状に配設されている。
【００８２】
コーキング樹脂材１０２は、エポキシ樹脂で、排水管３の下端部、および、更新排水管１００の外周面と、排水管３の内周面と、緩衝材１０１とで囲まれる部分に充填されている。
【００８３】
排水通路形成部５０の外側に更新排水管１００を嵌め込み、緩衝材１０１を、更新排水管１００の外周面と、排水管３の内周面との間に配設する。そして、排水管３の下端部、および、更新排水管１００の外周面と、排水管３の内周面と、緩衝材１０１とで囲まれる部分に、コーキング樹脂材１０２を充填して、図１５の状態となる。
【００８４】
このような構成とすれば、地上階以外の床面Ｔ、天井間に配設される排水設備の改修等に好適に用いることができる。特に、排水管３を更新する場合に好適なものとできる。
【００８５】
なお、更新排水管１００は、排水通路形成部５０の内側に嵌め込む構成とすることも可能である。
【００８６】
また、排水通路形成部５０、流入部形成部６０、又はストレーナ７０の筒部７１は、円筒状に形成されているが、多角形状、楕円形状等の筒状に形成することができる。
【００８７】
また、ストレーナ７０の板部７２も、流入部形成部６０の形状に対応した多角形状、楕円形状等の板に形成することができる。
【符号の説明】
【００８８】
１  排水構造
２  流入部
３  排水管
５  排水通路
１０  逆止弁
３０  排水金物本体
３０１  内筒部
３０２  外筒部
３０３  底板部
３４３  コーキング樹脂層
４０  排水部材
５０  排水通路形成部
５５  位置調整部材
５５ａ  水抜き孔
６０  流入部形成部
６２  連設部
６２ａ  水抜き孔
６４  段差面
７０  ストレーナ
７１  筒部
７２  板部
７２ａ  流通孔
【図１】
0003214457.tif 000003
【図２】
0003214457.tif 000004
【図３】
0003214457.tif 000005
【図４】
0003214457.tif 000006
【図５】
0003214457.tif 000007
【図６】
0003214457.tif 000008
【図７】
0003214457.tif 000009
【図８】
0003214457.tif 000010
【図９】
0003214457.tif 000011
【図１０】
0003214457.tif 000012
【図１１】
0003214457.tif 000013
【図１２】
0003214457.tif 000014
【図１３】
0003214457.tif 000015
【図１４】
0003214457.tif 000016
【図１５】
0003214457.tif 000017